(57)【要約】      （修正有）【課題】天井点検口を天井に取り付ける際に、天井の切断箇所を正確に位置決めし、切断箇所に正確に線を書くことができるマーキング具を提供する。【解決手段】マーキング具３０は、平面視において大矩形３０Ｌの板３１に小矩形３０ｌの孔３２が形成された形状であり、大矩形は、天井点検口の外側筒体の外周形と同形同大であり、小矩形は、天井点検口の内側筒体の内周形と同形同大であり、大矩形を天井点検口の外側筒体の外周に合わせた時の天井点検口の内側筒体の内周形の位置に存する。【選択図】図４
0003220687.tif 000002
【実用新案登録請求の範囲】
【請求項１】
天井点検口を取り付ける際の天井の切断箇所に線を書くためのマーキング具であって、
平面視において大矩形の板に小矩形の孔が形成された形状であり、
前記大矩形は、前記天井点検口の外側筒体の外周形と同形同大であり、
前記小矩形は、前記天井点検口の内側筒体の内周形と同形同大であり、前記大矩形を前記天井点検口の外側筒体の外周に合わせた時の前記天井点検口の内側筒体の内周形の位置に存することを特徴とする、マーキング具。
【請求項２】
天井に取り付けるためのビス孔を２以上備えることを特徴とする、請求項１に記載のマーキング具。
【考案の詳細な説明】
【技術分野】
【０００１】
本考案は、天井点検口を取り付ける際の天井の切断箇所に線を書くためのマーキング具に関する。
【背景技術】
【０００２】
天井点検口の典型的な例を、図１に示す。天井点検口１は、外側筒体１０内に回動可能に内側筒体２０が取り付けられたものである。外側筒体１０を天井に取り付けて設置する。図２に、天井１１に取り付けた状態を示す。室側（下方）から見た斜視図である。外側筒体のフランジ１５ａが室側から見え、矩形の開口部１２が存する。開口部１２を人が通り、天井裏を点検する。図３に、内側筒体２０を回動させて開口部１２を閉じた状態を示す。天井の点検をしない通常の状態である。内側筒体２０の内部には、閉鎖材１３が取り付けられている。また、内側筒体２０が開く側の縁部には内側筒体２０を外側筒体１０に固定するための閉め具１４が取り付けられている（例えば、特許文献１参照）。
【０００３】
図２及び図３において、天井を板目状に描いた。図３において、閉鎖材１３は天井１１の他部分と一体化して（板目を合わせて）天井の模様を構成している。これは、天井点検口１を取り付ける前の天井板の同一箇所を用いることで実現される。こうすることにより、板目以外の他の模様であっても、閉鎖材１３は天井１１の他部分と一体化して天井の模様を構成する。
【０００４】
天井点検口１を取り付ける際には、天井１１を外側筒体１０（ただしフランジ１５ａ、１５ｂを含まない）の外周形に添って切り取り、切り取られた天井板のうちの閉鎖材１３に相当する箇所を内側筒体２０（ただしフランジ２５を含まない）の内周形に添って切り取る必要がある。このため、鉛筆等で天井１１に線を引き、当該線に沿って鋸等で天井１１を切断している。
【０００５】
上記の線は、その形状及び大きさが分かっているので、曲尺等で天井１１の表面を測定して引くことができる。しかし、天井点検口１を天井１１に当接させてもフランジ１５ａ、１５ｂ、２５のために正確に位置決めできず、曲尺等による測定が必要となる。このため、通常は線を引くために１０分程度を要していた。
【先行技術文献】
【特許文献】
【０００６】
【特許文献１】実用新案登録第３２１５５８７号公報
【考案の概要】
【考案が解決しようとする課題】
【０００７】
本考案は、天井点検口を天井に取り付ける際に、天井の切断箇所に正確にかつ短時間で線を書くことができるマーキング具を提供することを課題とする。
【課題を解決するための手段】
【０００８】
本考案のマーキング具は、
天井点検口を取り付ける際の天井の切断箇所に線を書くためのマーキング具であって、
平面視において大矩形の板に小矩形の孔が形成された形状であり、
前記大矩形は、前記天井点検口の外側筒体の外周形と同形同大であり、
前記小矩形は、前記天井点検口の内側筒体の内周形と同形同大であり、前記大矩形を前記天井点検口の外側筒体の外周に合わせた時の前記天井点検口の内側筒体の内周形の位置に存することを特徴とする。
【０００９】
この特徴によれば、マーキング具が有する大矩形及び小矩形の輪郭により、天井点検口の外側筒体を取り付ける開口部の大きさ及び内側筒体に取り付ける閉鎖材の大きさを正確に位置決めし、切断箇所に正確に線を書くことができる。また、当該線に沿って天井を切断することで、外側筒体を取り付ける開口部を天井に正確かつ容易に形成することができ、また、内側筒体に取り付ける閉鎖材を正確かつ容易に切り出すことができる。
【００１０】
本考案のマーキング具は、
天井に取り付けるためのビス孔を２以上備えることを特徴とする。
【００１１】
この特徴によれば、ビス孔にビスを挿入してマーキング具を天井に留め、マーキング具の大矩形及び小矩形の輪郭に沿って線を書き、大矩形の輪郭に沿って書いた線に沿って天井を切断することで開口部を正確かつ容易に形成することができ、小矩形の輪郭に沿って書いた線に沿って天井を切断することで閉鎖材を正確かつ容易に切り出すことができる。
【考案の効果】
【００１２】
本考案によれば、マーキング具が有する大矩形及び小矩形の輪郭により、天井点検口の外側筒体を取り付ける開口部の大きさ及び内側筒体に取り付ける閉鎖材の大きさを正確に位置決めし、切断箇所に正確に線を書くことができる。また、当該線に沿って天井を切断することで、外側筒体を取り付ける開口部を天井に正確かつ容易に形成することができ、また、内側筒体に取り付ける閉鎖材を正確かつ容易に切り出すことができる。
【図面の簡単な説明】
【００１３】
【図１】図１は、天井点検口の一例を示す斜視図である。
【図２】図２は、天井に取り付けられた天井点検口の内側筒体を開いた状態の一例を示す斜視図である。
【図３】図３は、天井に取り付けられた天井点検口の内側筒体を閉じた状態の一例を示す斜視図である。
【図４】図４は、マーキング具の平面図である。
【図５】図５は、天井に取り付けられた天井点検口にマーキング具を重ね合わせた状態を示す平面図である。
【図６】図６は、図５のＡ−Ａ線断面図である。
【考案を実施するための形態】
【００１４】
以下、本考案の実施例を図面を参照して説明する。
【００１５】
図４は、マーキング具３０の平面図である。図４に示すように、マーキング具３０は、平面視において大矩形３０Ｌの板３１に小矩形３０ｌの孔３２が形成された形状を有している。当該マーキング具３０は、天井点検口を取り付ける際の天井の切断箇所に線を書くために使用される。マーキング具３０の材質は、寸法の精度を高めるために、天井点検口と同じ熱膨張率であるアルミニウム合金等の天井点検口と同じ材質で形成するのが好ましい。ただし、これに限定されることはなく、合成樹脂や厚紙等の硬い材質で形成してもよい。
【００１６】
図５及び図６は、天井点検口１の外側筒体１０及び内側筒体２０の縁部にフランジ１５が設けられている場合の、外側筒体１０及び内側筒体２０と、マーキング具３０と、の寸法の関係を説明するための図である。図５は、天井１１に取り付けられ内側筒体２０が閉じられた状態の天井点検口１にマーキング具３０を重ね合わせた状態を示す図（下側から見た図）であり、図６は図５のＡ−Ａ線断面図（上下方向は実際の配置に合わせてある）である。
【００１７】
図６に示すように、マーキング具３０の大矩形３０Ｌは、外側筒体１０の外周形１０Ｌと同形同大に構成されている。また、マーキング具３０の小矩形３０ｌは、内側筒体２０の内周形２０ｌと同形同大であり、かつ、大矩形３０Ｌを外側筒体１０の外周に合わせた時に、内側筒体２０の内周形２０ｌの位置に存するように構成されている。図中、これらの関係を１点鎖線により示した。
【００１８】
このように、天井点検口１の外側筒体１０及び内側筒体２０の周縁にフランジ１５ａ、１５ｂ、２５等の突起物が設けられていたとしても、マーキング具３０が有する大矩形３０Ｌ及び小矩形３０ｌの輪郭により、天井点検口１の外側筒体１０を取り付ける開口部１２の大きさ及び内側筒体２０に取り付ける閉鎖材１３の大きさを正確に位置決めすることができ、大矩形３０Ｌ及び小矩形３０ｌの輪郭に沿って切断箇所に正確に線を書くことができる。また、マーキング具３０の大矩形３０Ｌ及び小矩形３０ｌの輪郭に沿って書いた線に沿って天井１１を切断することで、外側筒体１０を取り付ける開口部１２を天井１１に正確かつ容易に形成することができ、また、内側筒体２０に取り付ける閉鎖材１３を正確かつ容易に切り出すことができる。
【００１９】
マーキング具３０には、当該マーキング具３０を天井１１に取り付けるためのビス孔３３が、４つの各頂点付近及び４つの各辺の中央付近に設けられている。すなわち、マーキング具３０には合計８つのビス孔が設けられている。なお、ビス孔３３を８つ設けたが、ビス孔３３の数はこれに限定されることはなく、天井１１から剥がれることなくに天井１１に取り付けることができる数として、２以上設ければよい。
【００２０】
これらのビス孔３３にビスを挿入してマーキング具３０を天井１１に留め、マーキング具３０の大矩形３０Ｌ及び小矩形３０ｌの輪郭に沿って線を書き、大矩形３０Ｌの輪郭に沿って書いた線に沿って天井１１を切断することで開口部１２を正確かつ容易に設けることができ、小矩形３０ｊの輪郭に沿って書いた線に沿って天井１１を切断することで閉鎖材１３を正確かつ容易に切り出すことができる。
【００２１】
以上の構成を備えたマーキング具３０を用いて天井点検口１を天井１１に取り付けるには、まず、天井点検口１を取り付ける位置にマーキング具３０を留める。この際に、ビス孔３３にビスを挿入してマーキング具３０を天井１１に留めることで、マーキング具３０が天井１１から剥がれ落ちることはない。次に、マーキング具３０の大矩形３０Ｌ及び小矩形３０ｌの輪郭に沿って鉛筆で天井１１に線を書いた後に、マーキング具３０を天井１１から取り外す。なお、
【００２２】
そして、鉛筆で描いた大矩形３０Ｌの線に沿って天井１１を切断して天井１１に開口部１２を形成する。次に、開口部１２形成の際に天井１１から切り出された天井板を、鉛筆で書いておいた小矩形３０ｌの線に沿って切断し、天井１１の化粧シートを含む閉鎖材１３を切り出す。そして、当該切り出した閉鎖材１３を内側筒体２０内に取り付けて、内側筒体２０の内部を閉塞する。この際に、内側筒体２０の内周形２０ｌと閉鎖材１３の形状とは完全に一致しているため、内側筒体２０に閉鎖材１３をぴったりと嵌め込むことができる。
【００２３】
次に、外側筒体１０を開口部１２に取り付ける。この際に、外側筒体１０の外周形１０Ｌと開口部１２の形状とは完全に一致しているため、開口部１２に外側筒体１０をぴったりと嵌め込むことができる。そして、内側筒体２０の閉鎖材１３の化粧シートの面が地上側を向くように配置して、内側筒体２０を外側筒体１０にヒンジ等で開閉可能に取り付ける。これにより、図２の状態となる。次に、内側筒体２０を閉じて、外側筒体１０に内側筒体２０を嵌合し、外側筒体１０に内側筒体２０を閉め具１４で留める。これにより、図３に示す状態となる。
【００２４】
以上詳細に説明したように、大矩形３０Ｌが天井点検口１の外側筒体１０の外周形１０Ｌと同形同大であり、小矩形３０ｌが天井点検口１の内側筒体２０の内周形２０ｌと同形同大であり、大矩形３０Ｌを外側筒体１０の外周に合わせた時に小矩形３０ｌが内側筒体２０の内周形２０ｌの位置に存するようにマーキング具３０を作製しておくことで、正確かつ容易に天井１１の切断箇所に線を書き、当該線に沿って天井１１を切断して天井点検口１を設置することができる。１分程度で線を書くことができ、従来に比して大きく作業効率が良くなる。
【産業上の利用可能性】
【００２５】
天井点検口を天井に取り付ける際に、天井の切断箇所に正確にかつ短時間で線を書くことができるマーキング具である。天井点検口を天井に取り付ける多くの業者による利用が考えられる。
【符号の説明】
【００２６】
１      天井点検口
１０    外側筒体
１０Ｌ  外周形
１１    天井
１２    開口部
１３    閉鎖材
１４    閉め具
１５ａ  フランジ
１５ｂ  フランジ
２０    内側筒体
２０ｌ  内周形
２５    フランジ
３０    マーキング具
３１    板
３２    孔
３３    ビス孔
３０Ｌ  大矩形
３０ｌ  小矩形
【図１】
0003220687.tif 000003
【図２】
0003220687.tif 000004
【図３】
0003220687.tif 000005
【図４】
0003220687.tif 000006
【図５】
0003220687.tif 000007
【図６】
0003220687.tif 000008